【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
患者の組織部位から望ましくない組織を除去するシステムにおいて、
治療ヘッドと、
前記治療ヘッドに作動ガスを供給する作動ガス供給源と、
前記治療ヘッドに固体ＣＯ２粒子を供給するＣＯ２源と、
前記作動ガス供給源および前記ＣＯ２源に流体結合され、前記作動ガスおよび前記固体ＣＯ２粒子を受け取る供給導管と、
を具備し、
前記治療ヘッドに、前記望ましくない組織に近接して配置する治療空洞が形成され、前記治療ヘッドが、前記供給導管に流体結合されて、前記作動ガスおよび前記固体ＣＯ２粒子を受け取りかつ前記作動ガスおよび前記固体ＣＯ２粒子を所望の位置にある前記組織部位に送達し、
前記治療ヘッドに、前記治療空洞内に開放する送達開口部と、前記治療空洞内に開放する除去開口部とが形成され、前記治療ヘッドが、前記作動ガスおよび前記固体ＣＯ２粒子の前記治療空洞を通る前記送達開口部と前記除去開口部との間の移動により、前記望ましくない組織を記治療空洞に向かって移動させるように動作可能な低圧領域が生成されるように構成されており、
前記システムが、
前記治療ヘッドに流体結合された抽出導管
を具備し、
前記治療ヘッドが、前記望ましくない組織を除去するように、前記固体ＣＯ２粒子が、前記治療空洞内の前記望ましくない組織の少なくとも一部に衝突するように適合されており、
前記治療ヘッドおよび前記抽出導管が、前記望ましくない組織を運び出すように適合されていることを特徴とする、システム。
【請求項２】
請求項１に記載の望ましくない組織を除去するシステムにおいて、
減圧を前記治療ヘッドに供給する減圧源
をさらに具備し、
前記抽出導管が前記減圧源に流体結合されており、
前記治療ヘッドおよび前記抽出導管が、減圧下で前記望ましくない組織を運び出すように適合されていることを特徴とする、システム。
【請求項３】
請求項１または２に記載の望ましくない組織を除去するシステムにおいて、
前記ＣＯ２源が、前記固体ＣＯ２粒子の送り速度を制御するように動作可能であることを特徴とする、システム。
【請求項４】
請求項１または２に記載の望ましくない組織を除去するシステムにおいて、
前記治療ヘッドが、送達導管、前記治療空洞および除去導管が形成されている治療ヘッド本体を備え、
前記送達開口部が前記治療空洞内に開放し、前記送達導管が、前記治療空洞および前記作動ガス供給源に流体結合されており、
前記除去開口部が前記治療空洞内に開放し、前記除去導管が、前記治療空洞および前記減圧源に流体結合されており、
前記送達開口部および前記除去開口部が実質的に整列していることを特徴とする、システム。
【請求項５】
請求項１または２に記載の望ましくない組織を除去するシステムにおいて、
前記治療ヘッドが、送達導管、前記治療空洞および除去導管が形成されている治療ヘッド本体を備え、
前記送達開口部が前記治療空洞内に開放し、前記送達導管が、前記治療空洞および前記作動ガス供給源に流体結合されており、
前記除去開口部が前記治療空洞内に開放し、前記除去導管が、前記治療空洞および前記減圧源に流体結合されており、
前記送達開口部および前記除去オリフィスが実質的に整列していないことを特徴とする、システム。
【請求項６】
請求項１または２に記載の望ましくない組織を除去するシステムにおいて、
前記治療ヘッドおよび前記減圧源に流体結合されて前記望ましくない組織を受け取る収集部材をさらに具備することを特徴とする、システム。
【請求項７】
請求項１または２に記載の望ましくない組織を除去するシステムにおいて、前記ＣＯ２源に結合されたＣＯ２スイッチをさらに具備し、前記ＣＯ２スイッチが、前記ＣＯ２源からの前記固体ＣＯ２粒子の送り速度を制御することを特徴とする、システム。
【請求項８】
請求項１または２に記載の望ましくない組織を除去するシステムにおいて、
前記作動ガス供給源および前記ＣＯ２源に関連付けられたマスタコントローラであって、
前記作動ガス供給源から前記治療ヘッドに移送される前記作動ガスの量を制御する作動ガス制御スイッチと、
前記ＣＯ２源から前記作動ガス内に移送される前記固体ＣＯ２粒子の量を制御するＣＯ２スイッチと、
を備えるマスタコントローラ
をさらに具備することを特徴とする、システム。
【請求項９】
請求項１または２に記載の望ましくない組織を除去するシステムにおいて、
前記作動ガス供給源および前記ＣＯ２源に関連付けられたフットペダルであって、
前記作動ガス供給源から前記治療ヘッドに移送される前記作動ガスの量を制御する作動ガス制御スイッチと、
前記ＣＯ２源から前記作動ガス内に移送される前記固体ＣＯ２粒子の量を制御するＣＯ２スイッチと、
を備えるフットペダルをさらに具備することを特徴とする、システム。
【請求項１０】
請求項１または２に記載の望ましくない組織を除去するシステムにおいて、
前記作動ガス供給源および前記ＣＯ２源に関連付けられたマスタコントローラであって、
前記作動ガス供給源および前記ＣＯ２源から前記治療ヘッドに移送される前記固体ＣＯ２粒子および前記作動ガスの量を制御する治療混合物スイッチ
を備えるマスタコントローラをさらに具備することを特徴とする、システム。
【請求項１１】
請求項１または２に記載の望ましくない組織を除去するシステムにおいて、
前記治療部材が前記治療ヘッドおよびハンドルを備えることを特徴とする、システム。
【請求項１２】
患者の組織部位から望ましくない組織を除去するシステムを製造する方法において、
作動ガスを供給する作動ガス供給源を提供するステップと、
固体ＣＯ２粒子を供給するＣＯ２源を提供するステップと、
減圧を供給する減圧源を提供するステップと、
治療空洞を備えた治療ヘッドを形成するステップであって、前記治療空洞が送達開口部および除去開口部と有する、ステップと、
前記作動ガス供給源および前記ＣＯ２源を前記治療ヘッドに流体結合するステップと、
を含み、
前記治療ヘッドが、前記作動ガスおよび前記固体ＣＯ２粒子を望ましい位置にある前記組織部位に送達するように適合され、
前記治療ヘッドを抽出導管により前記減圧源に流体結合するステップ
を含むことを特徴とする方法。
【請求項１３】
請求項１２に記載の方法において、
前記治療ヘッドが、前記作動ガスおよびＣＯ２が前記治療空洞を通って前記除去開口部まで流れる際に前記治療空洞内で低圧領域が発生するようにし、かつ前記望ましくない組織を除去するように前記固体ＣＯ２粒子が前記治療空洞内の前記望ましくない組織に衝突するようにし、前記抽出導管が減圧下で前記望ましくない組織を運び出すように適合されることを特徴とする方法。
【請求項１４】
請求項１２または１３に記載の方法において、
前記治療ヘッドが、送達導管、前記治療空洞および除去導管が形成された治療ヘッド本体を備え、
前記送達導管が、前記送達開口部、前記治療空洞および前記作動ガス供給源に流体結合され、
前記除去導管が、前記除去開口部、前記治療空洞および前記減圧源に流体結合されることを特徴とする方法。
【請求項１５】
請求項１２または１３に記載の方法において、
ＣＯ２スイッチを提供するステップをさらに含み、前記ＣＯ２源に前記ＣＯ２スイッチを結合するステップをさらに含み、前記ＣＯ２スイッチが前記ＣＯ２源からの前記固体ＣＯ２粒子の送り速度を制御するように適合されることを特徴とする方法。
【請求項１６】
請求項１２または１３に記載の方法において、
前記作動ガス供給源および前記ＣＯ２源に関連付けられたマスタコントローラを提供するステップをさらに含み、前記マスタコントローラが、
前記作動ガス供給源から前記治療ヘッドに移送される前記作動ガスの量を制御する作動ガス制御スイッチと、
前記ＣＯ２源から前記作動ガス内に移送される前記固体ＣＯ２粒子の量を制御するＣＯ２スイッチと、
を備えることを特徴とする方法。
【請求項１７】
患者の組織部位から望ましくない組織を除去するシステムにおいて、
作動ガスを供給する作動ガス供給源と、
固体ＣＯ２粒子を供給するＣＯ２源と、
前記作動ガス供給源および前記ＣＯ２源に流体結合され、前記作動ガスおよび前記固体ＣＯ２粒子を受け取る供給導管と、
治療ヘッドを有する治療部材と、
を具備し、
前記治療ヘッドが、前記供給導管に流体結合されて、前記作動ガスおよび前記固体ＣＯ２粒子を受け取りかつ前記作動ガスおよび前記固体ＣＯ２粒子を所望の位置にある前記組織部位に送達し、
前記治療ヘッドが、送達開口部および除去開口部を有する治療空洞を備え、
前記治療ヘッドが、前記望ましくない組織が前記治療空洞に向かって移動するようにし、前記望ましくない組織を除去するように、前記固体ＣＯ２粒子が、前記治療空洞内の前記望ましくない組織の少なくとも一部に衝突するように適合されることを特徴とする、システム。